(57)【要約】      （修正有）【課題】  側方に重なり合いのずれが発生しないため、外観は良好であり、商品価値が損なわれることもない包装方法および包装体を提供する。【解決手段】  内シートが米飯加工食品Ｒを包むように包装体１を二つ折りにした後、各側方を背貼り状に重ね合わせて（斜線部を）封止し、しかる後、形成された上方の開口を封止するか、あるいは、内シートが米飯加工食品Ｒを包むように包装体１を二つ折りにし、側方のアウトラインが揃うよう包装体１の側部を内側に折り込んだ後、各側方を合掌貼り状に重ね合わせて封止すると共に、上方も封止する包装方法および包装体である。【選択図】  図１
2006264758.tif 000002
【特許請求の範囲】
【請求項１】
長さ方向に切断可能な外シートと、シート状食品を介して外シートに重ね合わされる内シートとを備え、重ね合わせた両シートのうち、シート状食品よりも外側における所定の囲い込み領域が熱溶着されると共に、外シートの分離に伴って内シートが分断されるよう構成されてなる包装体を用いた米飯加工食品の包装方法であって、
内シートが米飯加工食品を包むように包装体を二つ折りにした後、各側方を背貼り状に重ね合わせて封止し、しかる後、形成された上方の開口を封止することを特徴とする米飯加工食品の包装方法。
【請求項２】
長さ方向に切断可能な外シートと、シート状食品を介して外シートに重ね合わされる内シートとを備え、重ね合わせた両シートのうち、シート状食品よりも外側における所定の囲い込み領域が熱溶着されると共に、外シートの分離に伴って内シートが分断されるよう構成されてなる包装体を用いた米飯加工食品の包装方法であって、
内シートが米飯加工食品を包むように包装体を二つ折りにし、側方のアウトラインが揃うよう包装体の側部を内側に折り込んだ後、各側方を合掌貼り状に重ね合わせて封止すると共に、上方も封止することを特徴とする米飯加工食品の包装方法。
【請求項３】
請求項１又は２に記載の米飯加工食品の包装方法に用いられる包装体であって、
外シートは、内面に熱溶着性を有する紙質シートからなると共に、内シートは、少なくとも内面に熱溶着性を有するフィルムからなり、
外シートの両側部に沿って複数の連通孔が形成されると共に、内シートは、その両側部が折り返されて外シートの両側部を覆うことが可能となるよう、外シートよりも幅広に形成され、
内シートの折返し部が連通孔を介して折り返されていない側の内シートに熱溶着されることを特徴とする包装体。
【請求項４】
請求項１又は２に記載の米飯加工食品の包装方法に用いられる包装体であって、
外シートは、内面に熱溶着性を有する紙質シートからなると共に、内シートは、少なくとも内面に熱溶着性を有するフィルムからなり、
外シートの両側部に沿って複数の連通孔が形成されると共に、該外シートの両側部を覆うことが可能な、少なくとも内面に熱溶着性を有する一対の帯状フィルムが設けられ、
各帯状フィルムが連通孔を介して内シートに熱溶着されることを特徴とする包装体。
【発明の詳細な説明】
【技術分野】
【０００１】
本発明は、おにぎり等の米飯加工食品を包装するための包装体を用いた米飯加工食品の包装方法及びこれに用いられる包装体に関する。
【背景技術】
【０００２】
ふんわりと軟らかく握られたおにぎりが包装体によって押し固められないよう、あるいは包装体を開封して中身を取り出す際におにぎりが型くずれしないよう、内部空間に余裕を持たせて米飯加工食品を包装する包装方法が提供されている（特許文献１〜６）。かかる包装方法は、米飯加工食品の形状に沿わせて包装体を折り畳んでいく従来の包装方法と異なり、図８（イ）、（ロ）に示す如く、包装体１''''の上に米飯加工食品Ｒを載置し、包装体１''''を半分に折り、しかる後、図９（イ）に示す如く、互いに重なり合った包装体１''''の縁部同士をヒートシール（斜線領域）するというものである。
【０００３】
【特許文献１】特開２００４−８１１３０号公報
【特許文献２】特開２００４−８９１３０号公報
【特許文献３】特開２００４−１５４０６４号公報
【特許文献４】特開２００４−２６１０５４号公報
【特許文献５】特開２００４−２６１０５５号公報
【特許文献６】特開２００４−２６１０５６号公報
【発明の開示】
【発明が解決しようとする課題】
【０００４】
しかしながら、この包装方法にあっては、米飯加工食品Ｒが介在しているため、包装体１''''を長手方向と直交する方向に正確に二つ折りするのが困難であり、その結果、包装体１''''の縁部同士がきれいに重なり合わずにずれた状態でヒートシールされ、図９（ロ）に示す如く、非常に体裁の悪い商品に仕上がってしまうことがある。中でも、特に側方における重なり合わせのずれは顕著に目立つものである。
【課題を解決するための手段】
【０００５】
本発明は、上記問題を解決すべくなされたもので、長さ方向に切断可能な外シートと、シート状食品を介して外シートに重ね合わされる内シートとを備え、重ね合わせた両シートのうち、シート状食品よりも外側における所定の囲い込み領域が熱溶着されると共に、外シートの分離に伴って内シートが分断されるよう構成されてなる包装体を用いた米飯加工食品の包装方法であって、内シートが米飯加工食品を包むように包装体を二つ折りにした後、各側方を背貼り状に重ね合わせて封止し、しかる後、形成された上方の開口を封止することを特徴とする。
【０００６】
また、別の本発明は、長さ方向に切断可能な外シートと、シート状食品を介して外シートに重ね合わされる内シートとを備え、重ね合わせた両シートのうち、シート状食品よりも外側における所定の囲い込み領域が熱溶着されると共に、外シートの分離に伴って内シートが分断されるよう構成されてなる包装体を用いた米飯加工食品の包装方法であって、内シートが米飯加工食品を包むように包装体を二つ折りにし、側方のアウトラインが揃うよう包装体の側部を内側に折り込んだ後、各側方を合掌貼り状に重ね合わせて封止すると共に、上方も封止することを特徴とする。
【０００７】
前者の本発明を第１の包装方法とし、後者の本発明を第２の包装方法とし、第１の包装方法を概念的に理解するために図１を用い、また、第２の包装方法を概念的に理解するために図２を用い、それぞれについて説明する。
【０００８】
第１の包装方法は、包装体１の上に米飯加工食品Ｒを載置し、包装体１を二つ折りにするところまで、より詳しくは、内シートを上向きにしてその上に米飯加工食品Ｒを載置し、内シートが米飯加工食品Ｒを包むように包装体１を二つ折りにするところまでは、従来と同じである（図８（イ）、（ロ）を参照）。
【０００９】
その状態から、第１の包装方法では、図１（イ）に示す如く、左右の各側方を背貼り状に重ね合わせ、それぞれ重なり合った部分をヒートシール（斜線領域）し、そして、各側方を封止することにより筒状となって形成された上方の開口をヒートシール（斜線領域）する（図１（ロ））。これによって包装が完了する。
【００１０】
尚、「背貼り状」とは、二つ折りにされたうちの一方の側部と他方の側部とを重ね合わせる際、二つ折りにされたうちの一方の側部の上に他方の側部が重なる状態、即ち、二つ折りにされたうちの一方の側部と他方の側部とが反対面で合わさる状態を言う。
【００１１】
一方、第２の包装方法も、包装体１の上に米飯加工食品Ｒを載置し、包装体１を二つ折りにするところまでは、従来と同じである。その状態から、図２（イ）に示す如く、左右の側方のアウトラインが揃うよう包装体１の側部を内側に折り込み、そして、各側方及び上方を合掌貼り状に重ね合わせ、それぞれ重なり合った部分をヒートシール（斜線領域）する（図２（ロ））。これによって包装が完了する。
【００１２】
尚、「アウトラインが揃う」とは、二つ折りにされたうちの一方の側方のアウトラインと他方の側方のアウトラインとが正面視（図２（イ）において、二つ折りにされたうちの一方と他方とに対して直交する方向）にて揃うことを意味する。この意義は、上記［発明が解決しようとする課題］欄で述べた通り、包装体１を二つ折りにする際、米飯加工食品Ｒが介在しているため、包装体１を長手方向と直交する方向に正確に二つ折りするのが困難であり、そして、正確に二つ折りできていないと、二つ折りにされたうちの一方の側方のアウトラインと他方の側方のアウトラインとが正面視にて揃っていない状態になり、その結果、図９（ロ）のような体裁の悪いものになるからである。
【００１３】
また、「合掌貼り状」とは、二つ折りにされたうちの一方の側部と他方の側部とを重ね合わせる際、二つ折りにされたうちの一方の側部と他方の側部とが同一面で合わさる状態を言う。
【００１４】
本発明に係る包装体は、請求項１又は２に記載の米飯加工食品の包装方法に用いられる包装体であって、外シートは、内面に熱溶着性を有する紙質シートからなると共に、内シートは、少なくとも内面に熱溶着性を有するフィルムからなり、外シートの両側部に沿って複数の連通孔が形成されると共に、内シートは、その両側部が折り返されて外シートの両側部を覆うことが可能となるよう、外シートよりも幅広に形成され、内シートの折返し部が連通孔を介して折り返されていない側の内シートに熱溶着されることを特徴とする。あるいは、請求項１又は２に記載の米飯加工食品の包装方法に用いられる包装体であって、外シートは、内面に熱溶着性を有する紙質シートからなると共に、内シートは、少なくとも内面に熱溶着性を有するフィルムからなり、外シートの両側部に沿って複数の連通孔が形成されると共に、該外シートの両側部を覆うことが可能な、少なくとも内面に熱溶着性を有する一対の帯状フィルムが設けられ、各帯状フィルムが連通孔を介して内シートに熱溶着されることを特徴とする。
【００１５】
これらの包装体によれば、内シートの折返し部や帯状フィルムに起因する熱溶着性が包装体の両側部に付与されることとなるため、外面に熱溶着性がない紙質シートであっても、第１の包装方法や第２の包装方法を適用することが可能となる。
【発明の効果】
【００１６】
以上の如く、本発明に係る包装方法によれば、側方に重なり合いのずれが発生しないため、外観は良好であり、商品価値が損なわれることもない。
【００１７】
また、本発明に係る包装体によれば、紙質シートが包装体の外面に表れることで、重厚感、高級感に富んだものとなり、顧客の購買意欲を喚起することができる包装となる。
【発明を実施するための最良の形態】
【００１８】
本発明に係る包装体は、上述した一般的なもの、即ち、外シートとしての外フィルムに切断手段としてのカットテープが設けられ、内シートとしての内フィルムがカットテープの位置に対応した重なり合わせ部を有する二枚のフィルムからなるものを当然に含むが、より好適な包装体の二つの実施形態を以下に説明する。
【００１９】
まず、第１の包装体について図３及び図４に基づき説明する。尚、図４は、見やすくするため、各シートの厚み及び間隔と熱溶着の厚みを誇張して描いている。第１の包装体１’は、外シートとして、米飯加工食品Ｒを収納することができる大きさの長方形状の外フィルム１０と、内シートとして、シート状食品Ｎを介して外フィルム１０上に重ね合わされる内フィルム２０とを中心に構成されている。
【００２０】
尚、後述する全ての実施形態も同じであるが、米飯加工食品Ｒには、三角形状や樽形状などに握られた各種おにぎりの他、鮨なども含まれる。また、シート状食品Ｎには、シート状の海苔の他、薄焼き玉子や畳鰯なども含まれる。
【００２１】
内フィルム２０は、シート状食品Ｎを介して外フィルム１０の左右部上に重なり合うように配置される一対のサイドフィルム２１，２１と、外フィルム１０の中間部上に重なり合うように配置され、且つこのサイドフィルム２１，２１の各内側部２１ａ，２１ａと重なり合うセンターフィルム２２とから構成されている。センターフィルム２２は、両端部に引き裂き（分断）の起点となる切込み２３，２３が形成されている。また、センターフィルム２２は、弱い力で引っ張られても、長さ方向に引き裂かれやすいようにするため、一軸延伸性を有していることが好ましい。
【００２２】
一方、一対のサイドフィルム２１，２１の各内側部２１ａ，２１ａ同士は、当接した状態、または重なり合った状態としてもよいが、本図に示すように離隔していてもよい。但し、各サイドフィルム２１，２１は、内側部２１ａ，２１ａから外向きに伸張した折返し部２１ｂ，２１ｂが形成されていることが好ましい。米飯加工食品Ｒの包装を開封するため、二分割された内フィルム２０を反対方向に引き抜くときに、この折返し部２１ｂ，２１ｂの全面が米飯加工食品Ｒを保持して引っ張ることがなく、内側部２１ａ，２１ａが米飯加工食品Ｒから順次離隔し、米飯加工食品Ｒには反対向きに大きな力が加えられないことにより、割れないようにすることができるからである。
【００２３】
このような一対のサイドフィルム２１，２１の内側部２１ａ，２１ａ付近とセンターフィルム２２とが重なっている部分は全長に亘って熱溶着Ｓされ、両者２１，２２，２１が一体化した内フィルム２０となる。尚、一対のサイドフィルム２１，２１の内側部２１ａ，２１ａ同士が離隔しているときは、センターフィルム２２に形成された切込み２３は一対のサイドフィルム２１，２１間に位置し、一対のサイドフィルム２１，２１とセンターフィルム２２とが熱溶着Ｓされる部分に位置することはない。しかし、一対のサイドフィルム２１，２１の内側部２１ａ，２１ａ同士が当接し、または重なり合うときは、切込み２３が一方のサイドフィルム２１の内側部２１ａと重なり合うため、この切込み２３を形成した部分を除いて一対のサイドフィルム２１，２１の内側部とセンターフィルム２２とが全長に亘って熱溶着Ｓされる。
【００２４】
そして、外フィルム１０には、その一端部１１ａから他端部１１ｂを結ぶライン上に切断手段１２が設けられている。切断手段１２は、２本のカットテープで構成され、外フィルム１０を確実に引き裂くことができるように、外フィルム１０の内面に貼着されるが、外フィルム１０を引き裂く貼着力をもって外フィルム１０の外面に貼着してもよい。また、２本のカットテープ１２，１２は、平行に貼着されてもよいし、複数の箇所で交差する正弦波状に貼着してもよいし、さらに中間部分でのみ間隔が広くなるようにしてもよい。
【００２５】
このようなカットテープ１２の両端部が位置している外フィルム１０の両端部１１ａ，１１ｂには、そのカットテープ１２の両端部を摘み片とするための切込み１３，１３が入れられている。このような外フィルム１０と内フィルム２０との間にシート状食品Ｎを介在させた後、切込み１３，１３の部分を除いた外フィルム１０の周縁部１４と内フィルム２０の切込み２３の部分を除いた周縁部２４（本発明に係る「重ね合わせた両シートのうち、シート状食品よりも外側における所定の囲い込み領域」の一態様）が帯状に熱溶着Ｓされる。
【００２６】
次に、第２の包装体１''（図５）についてであるが、第２の包装体１''が第１の包装体１’と異なる点は、第１の包装体１’における外フィルム１０の切込み１３，１３の代わりに、第２の包装体１''では、外フィルム１０の両端部に切込み１３’を形成した点である。この切込み１３’は、内フィルム２０の両端部の切込み２３’と一致する位置に形成されている。また、第１の包装体１’では、両端部が部分的に熱溶着されないようになっているが、第２の包装体１''では、周縁部１４，２４が全てに亘って熱溶着Ｓされる。この点、切込み１３’，２３’は、外フィルム１０及び内フィルム２０にそれぞれ別個に形成してもよいし、外フィルム１０及び内フィルム２０の熱溶着Ｓ後に一括して形成するようにしてもよい。
【００２７】
これらの包装体１’，１''を用いて本発明に係る第１の包装方法を適用すれば、それぞれ図６（イ）、（ロ）の状態となる（斜線領域が封止のためにヒートシールした部分である）。
【００２８】
具体的には、どちらの包装体１’，１''であっても、内フィルム２０の中央部に米飯加工食品Ｒを配置した状態で内フィルム２０が米飯加工食品Ｒと重なり合うよう包装体１’，１''を二つ折りにし、まず、左右の各側方を背貼り状に重ね合わせ、それぞれ重なり合った部分を帯状にヒートシールし、次に、米飯加工食品Ｒの厚みの関係上、このヒートシールを各側方の基端側まで施すのが難しい場合は、下方の両角部を別途ヒートシールし（三角形の斜線領域）、そして、最後に、上方の開口を帯状にヒートシールする。尚、上方の開口をヒートシールする際、第１の包装体１’にあっては、図６（イ）に示す如く、開封時の摘み片として残しておくために、包装体１’の熱溶着Ｓと同様、切込み１３，１３よりも広い幅範囲の非シール部が上端縁側に形成されるようにする。
【００２９】
このように包装された米飯加工食品Ｒを食するには、第１の包装体１’によるものであれば、まず、カットテープ１２の一端部を摘んで縦方向に周回させるよう引っ張り、外フィルム１０を二分割する（図６（イ）の符号１の動作）。尚、カットテープ１２の両端部が位置している外フィルム１０に切込み１３，１３が入れられ、摘み片とされていることから、カットテープ１２の一端部は容易に摘むことができる。
【００３０】
そして、上方の両角部を掴んで反対方向に引っ張ることにより、センターフィルム２２が切り目２３から引き裂かれ、内フィルム２０が二分割される（同図（イ）の符号２の動作）。そして、上方の両角部を反対方向に離隔することにより、外フィルム１０内からシート状食品Ｎが露出し、また、分断された内フィルム２０がシート状食品Ｎと米飯加工食品Ｒとの間から引き抜かれる。
【００３１】
従って、外フィルム１０が２本のカットテープ１２，１２によってワイドに開裂されることにより、外フィルム１０はシート状食品Ｎを擦らず、シート状食品Ｎを破かないようにすることができる。また、内フィルム２０は、センターフィルム２２が引き裂かれることによって二分割されるため、大きな力を加えなくても、内フィルム２０をシート状食品Ｎと米飯加工食品Ｒとの間から引き抜くことができ、シート状食品Ｎを破ることなく、また、米飯加工食品Ｒを割ることがないようにすることができる。さらに、分断された内フィルム２０が引き抜かれるときに、サイドフィルム２１，２１の折返し部２１ｂ，２１ｂが米飯加工食品Ｒを擦らないことによっても、米飯加工食品Ｒは割れることがない。
【００３２】
このようにして、シート状食品Ｎが米飯加工食品Ｒを包む状態となって食することができる。シート状食品Ｎが海苔であれば、その海苔は湿気らず、また、破れたりしていないため、パリパリ感を味わうことができる。しかも、米飯加工食品Ｒがふんわりと軟らかく握られたおにぎりであれば、そのおにぎりは包装体によって押し固められることがないため、軟らかいままの食感を楽しむことができる。
【００３３】
第２の包装体１''を開封する場合は、外フィルム１０を中央部で切断する動作は不要となり、いきなり上方の両角部を掴んで反対方向に引っ張ることにより、外フィルム１０が切込み１３’から引き裂かれると共に、センターフィルム２２が切込み２３’から引き裂かれ、外フィルム１０及び内フィルム２０が二分割される（同図（ロ）の符号１の動作）。そして、上方の両角部を反対方向に離隔することにより、外フィルム１０内からシート状食品Ｎが露出し、また、分断された内フィルム２０がシート状食品Ｎと米飯加工食品Ｒとの間から引き抜かれる。従って、第２の包装体１''では、第１の包装体１’よりも少ない手順で開封することが可能となる。
【００３４】
尚、本発明は、上記実施形態に限定されるものではなく、本発明の要旨を逸脱しない範囲で種々の変更が可能である。
【００３５】
例えば、上記実施形態においては、封止方法として、ヒートシールを用いているが、これに限定されるものではなく、超音波シール、高周波シール、ラベル貼り、接着等であってもよい。
【００３６】
また、上記実施形態においては、包装体の上に米飯加工食品を載置し、包装体を二つ折りしているが、これに限定されるものではなく、包装体を二つ折りする過程あるいはその過程終了後に間に米飯加工食品を挿入するようにしてもよい。
【００３７】
また、上記実施形態においては、包装過程において、側方及び上方のヒートシールを帯状に施していたが、スポット状（いわゆるスポットシール）であってもよい。
【００３８】
また、上記実施形態においては、第１の包装方法、第２の包装方法を問わず、上方を合掌貼り状に重ね合わせて封止しているが、これに限定されるものではなく、背貼り状であってもよいし、また、合掌貼り状であっても、各上端部を内側に折り込んで外フィルム同士が重なる状態にして封止するようにしてもよい。
【００３９】
また、上記実施形態においては、第１の包装方法に関し、側方の封止以外に三角コーナー部の封止も行うようにしているが、内外が連通していてもよいのなら、この三角コーナー部の封止は省略してもよい。
【００４０】
また、上記実施形態においては、第２の包装方法に関し、側方と上方を同時に封止するようにしているが、側方のみを先に封止するようにしてもよいし、上方のみを先に封止するようにしてもよい。
【００４１】
また、上記実施形態においては、外シート及び内シート共に熱溶着性のフィルムを用いているが、これに限定されない。例えば、健康ブームの高まりにより顧客のマインドが高級志向となっている昨今、包装体に紙質シートを用い、包装体の外面に重厚感、高級感を付与するようにして購買意欲の喚起を図るものが出回るようになっている。但し、この紙質シートは、例えば、和紙状に形成されたレーヨン紙と、ポリエチレンやポリプロピレン等の熱溶着性を有するプラスチックフィルムとを積層した複層シートや、レーヨン紙にポリエチレン樹脂やポリプロピレン樹脂を含浸させた単層シートであり、内面には熱溶着性があるものの、外面には熱溶着性がない。そのため、左右の各側方を背貼り状に重ね合わせ、該重なり合った部分をヒートシールする上記第１の包装方法、及び左右の各側方を合掌貼り状に重ね合わせ、該重なり合った部分をヒートシールする上記第２の包装方法では、熱溶着性がある部分とない部分とが合わさる状態（第１の包装方法）あるいは熱溶着性がない部分とない部分とが合わさる状態（第２の包装方法）となり、そのままでは適用することができない。
【００４２】
そこで、紙質シートを用いつつ、上記第１の包装方法あるいは第２の包装方法を適用可能とする包装体を図７に基づき以下に説明する。この包装体が上記包装体１，１’，１''と異なる点は、フィルムの代わりに上記紙質シートからなる外シート１０’が使用される点、同図（イ）に示す如く、外シート１０’の側部に沿って複数の連通孔１５，…が形成されている点、そして、同図（ロ）に示す如く、フィルムからなる内シート２０’の幅が外シート１０’よりも幅広に形成されている点の三点である（尚、図の外シート１０’及び内シート２０’は第１の包装体１’の形態を採っているが、あくまでも例示である）。
【００４３】
外シート１０’よりも幅広に形成する（尚、長手方向においては、両シート１０’，２０’は同じ長さである）ことにより外シート１０’の両側部からはみ出る内シート２０’の両側部は、外シート１０’の両側部（より詳しくは連通孔１５，…）を覆うように折り返される。従って、両シート１０’，２０’の周縁部で外シート１０’の周縁部の内面と折り返されていない側の内シート２０’の周縁部の内面とが熱溶着されると共に、側部においては、折り返されていない側の内シート２０’の側部の内面と内シート２０’の折返し部の内面とが連通孔１５，…を介して熱溶着され、三層が一体化される。その結果、外シート１０’の外面の両側部（即ち包装体の両側部）には、内シート２０’の折返し部に起因した熱溶着性が付与され、上記第１の包装方法や第２の包装方法が適用可能となる。
【００４４】
尚、内シート２０’を幅広に形成する代わりに、同図（ハ）に示す如く、別の帯状フィルム１６を一対用意し、該帯状フィルム１６で外シート１０’の両側部を覆い、帯状フィルム１６、外シート１０’及び内シート２０’の三層を熱溶着により一体化させた包装体であっても、包装体の両側部の外面に帯状フィルム１６に起因した熱溶着性が付与されることとなり、上記第１の包装方法や第２の包装方法が適用可能となる。
【００４５】
そして、これらの包装体によれば、紙質シートに基づいて包装体の外面に和紙のような漉き模様が表され、この漉き模様によって重厚感、高級感に富んだものとなり、フィルムのみで構成される透明な包装体に比べ、商品の購買意欲がより喚起されるものとなる。
【図面の簡単な説明】
【００４６】
【図１】本発明に係る第１の包装方法を概念的に説明するための図であって、（イ）は、二つ折りにされた包装体の側方が封止された状態、（ロ）は、二つ折りにされた包装体の上方が封止された状態の斜視図を示す。
【図２】本発明に係る第２の包装方法を概念的に説明するための図であって、（イ）は、二つ折りにされた包装体の側部が内側に折り込まれた状態、（ロ）は、二つ折りにされた包装体の側方及び上方が封止された状態の斜視図を示す。
【図３】本実施形態に係る第１の包装体の分解斜視図を示す。
【図４】同包装体の断面側面図を示す。
【図５】本実施形態に係る第２の包装体の分解斜視図を示す。
【図６】本発明に係る第１の包装方法を適用した包装物の斜視図であって、（イ）は、第１の包装体によるもの、（ロ）は、第２の包装体によるものを示す。
【図７】他実施形態に係る包装体であって、（イ）は、外シートの斜視図、（ロ）は、包装体の概略断面側面図、（ハ）は、変形例に係る包装体の概略断面側面図を示す。
【図８】従来の包装方法を概念的に説明するための図であって、（イ）は、包装体の上に米飯加工食品が載置された状態、（ロ）は、包装体を二つ折りにした状態の斜視図を示す。
【図９】従来の包装方法を概念的に説明するための図であって、（イ）は、二つ折りされた包装体の側方及び上方が適正に封止された状態、（ロ）は、二つ折りされた包装体の側方及び上方がずれて不適正に封止された状態の斜視図を示す。
【符号の説明】
【００４７】
１，１’，１''  包装体
１０  外フィルム（外シート）
１２  カットテープ（切断手段）
１３，１３’  切込み
１５  連通孔
１６  帯状フィルム
２０  内フィルム（内シート）
２１  サイドフィルム
２２  センターフィルム
２３，２３’  切込み
Ｒ  米飯加工食品
Ｎ  シート状食品
【図１】
2006264758.tif 000003
【図２】
2006264758.tif 000004
【図３】
2006264758.tif 000005
【図４】
2006264758.tif 000006
【図５】
2006264758.tif 000007
【図６】
2006264758.tif 000008
【図７】
2006264758.tif 000009
【図８】
2006264758.tif 000010
【図９】
2006264758.tif 000011